(57)【特許請求の範囲】
【請求項１】
戸棚に蝶番等を介して取り付けられ、該戸棚の地板よりも下方に出っ張って形成された扉を開閉するための戸棚扉の開閉機構において、
前記扉の裏側に設けられた第１部材と、
前記戸棚の地板に設けられ、第１部材と係合するように付勢された第２部材と、
前記扉の裏側にて該扉の下辺に沿って延びる形状に設けられ、前記付勢された第２部材を該付勢力に抗して移動させて第１部材との係合を解除させる係合解除位置と前記付勢された第２部材を該付勢力により第１部材と係合させる係合許容位置のいずれかに配置されるレバーと
を備えたこと特徴とする戸棚扉の開閉機構。
【請求項２】
戸棚に蝶番等を介して取り付けられ、該戸棚の地板よりも下方に出っ張って形成された扉を開閉するための戸棚扉の開閉機構において、
前記戸棚の地板に設けられた第２部材と、
前記扉の裏側に設けられ、第２部材と係合するように付勢された第１部材と、
前記扉の裏側にて該扉の下辺に沿って延びる形状に設けられ、前記付勢された第１部材を該付勢力に抗して移動させて第２部材との係合を解除させる係合解除位置と前記付勢された第１部材を該付勢力により第２部材と係合させる係合許容位置のいずれかに配置されるレバーと
を備えたこと特徴とする戸棚扉の開閉機構。
【請求項３】
前記レバーは第１部材と一体成形されていることを特徴とする請求項１又は２記載の戸棚扉の開閉機構。
【請求項４】
前記レバーは可撓性部材により第１部材と一体成形され、第１部材は可撓性部材の復元力により付勢されていることを特徴とする請求項２記載の戸棚扉の開閉機構。
【請求項５】
第１部材は前記扉に対して可撓性部材を略垂直に延出した後屈曲した形状とすることにより該屈曲点にて可撓性部材の復元力により付勢されていることを特徴とする請求項４記載の戸棚扉の開閉機構。
【請求項６】
前記レバーは、扉に対するテール（第１部材と一体化された端部とは反対側の端部）の跳ね上がり角度が規制されていることを特徴とする請求項３〜５のいずれか記載の戸棚扉の開閉機構。
【発明の詳細な説明】
【０００１】
【発明の属する技術分野】
本発明は、戸棚に蝶番等を介して取り付けられた扉を開閉するための戸棚扉の開閉機構に関する。
【０００２】
【従来の技術】
例えば台所に用いられるつり戸棚のように、ヒンジや蝶番等を介して扉が取り付けられた戸棚が知られていた。かかる戸棚の扉は、通常、表面に取っ手がないため、戸棚の地板よりも下方に出っ張っている扉の下部に手を掛けて扉を開いていた。ところで、この戸棚の扉が閉じている状態で、開ける意思がないにもかかわらず、何かの拍子に扉の開方向に力が加わったときに扉が開いてしまったのでは種々の不都合が生じる。例えば、地震の際に不意に戸棚の扉が開いたのでは中身が落下するおそれがある。このため、扉を閉じると簡単にロックされ、扉を開けるときには容易にロックが解除される扉の開閉機構が必要とされていた。
【０００３】
このような扉の開閉機構としては、従来、図１１及び図１２に示すような扉の開閉機構が知られていた。ここで、図１１は戸棚の内側から扉を見たときの斜視図、図１２は扉の開閉機構の説明図である。この扉の開閉機構は、扉２の裏側に取り付けられた扉側取付体２０１と戸棚の地板５の下面に取り付けられた地板側取付体２０５とから構成されている。扉側取付体２０１は、扉２にネジ止めされた支持体２０１に横ピン２０３を介してフック２１０が回動可能に取り付けられ、このフック２１０は図示しないバネにより上向きに付勢されると共にレバー２０４が一体に取り付けられている。地板側取付体２０５は、フック２１０と係合可能なキャッチャ２０７を備えている。かかる扉の開閉機構では、扉２を閉めた状態では、キャッチャ２０７と係合したフック２１０が図示しないバネによりキャッチャ２０７と係合する方向に付勢されているため、何かの拍子に扉の開方向に力が加わったとしても扉２が開くおそれはない。また、この状態でレバー２０４に指を掛けて扉側に引けば、フック２１０が下向きに回動してキャッチャ２０７との係合が外れ、扉は開く。
【０００４】
【発明が解決しようとする課題】
しかしながら、戸棚の地板５と扉２の下辺との間隔は２ｃｍ程度であるため、レバー２０４の上下幅は１ｃｍ程度しかとることができず、レバー２０４に指を掛けることが難しかった。特に、このレバー２０４は扉２の表側から見えないため、手探りでこのレバー２０４を探さなくてはならず、レバー２０４に指を掛けることを一層難しくしていた。このように、図１１及び図１２に示した従来の扉の開閉機構では容易に扉を開けることができないという課題があった。
【０００５】
本発明は上記課題に鑑みなされたものであり、戸棚に蝶番等を介して取り付けられた扉を開閉するための戸棚扉の開閉機構において、扉を開けるときには扉のロックを容易に解除しうる戸棚扉の開閉機構を提供するものである。
【０００６】
【課題を解決するための手段、発明の実施の形態及び発明の効果】
上記課題を解決するため、請求項１の発明は、戸棚に蝶番等を介して取り付けられ、該戸棚の地板よりも下方に出っ張って形成された扉を開閉するための戸棚扉の開閉機構において、前記扉の裏側に設けられた第１部材と、前記戸棚の地板に設けられ、第１部材と係合するように付勢された第２部材と、前記扉の裏側にて該扉の下辺に沿って延びる形状に設けられ、前記付勢された第２部材を該付勢力に抗して移動させて第１部材との係合を解除させる係合解除位置と前記付勢された第２部材を該付勢力により第１部材と係合させる係合許容位置のいずれかに配置されるレバーとを備えたものである。
【０００７】
かかる請求項１の戸棚扉の開閉機構では、扉を閉じた状態ではレバーは係合許容位置に配置される。このときレバーは、別途設けた弾性部材（バネやクッション等、以下同じ）により付勢されて係合許容位置に配置されてもよいし、レバー自身の材質（可撓性材料や弾性材料等、以下同じ）により付勢されて係合許容位置に配置されてもよいし、他の位置決め機構（例えばラッチ機構など）により係合許容位置に配置されてもよい。レバーが係合許容位置に配置されると、戸棚の地板に設けられた第２部材は付勢されて扉の裏側に設けられた第１部材と係合する。このとき第２部材は、例えば、別途設けた弾性部材により又は第２部材自身の材質により、第１部材と係合するように付勢されていてもよい。このように扉を閉じた状態では、第２部材が第１部材と係合するように付勢されているため、何かの拍子に扉の開方向に力が加わったとしても扉が開くおそれはないという効果を奏する。
【０００８】
一方、扉を開けるときには、レバーを係合解除位置に配置する。すると、第１部材に係合するように付勢された第２部材は該付勢力に抗して移動されて第１部材との係合が解除されるため、この状態で扉を引けば容易に開く。このとき、レバーは扉の裏側にて該扉の下辺に沿って延びる形状に設けられているため、指をかける面積が大きくなり、操作し易いという効果を奏する。また、扉の表側からレバーが露出しないため、見栄えがよくなるという効果を奏する。
【０００９】
請求項２の発明は、戸棚に蝶番等を介して取り付けられ、該戸棚の地板よりも下方に出っ張って形成された扉を開閉するための戸棚扉の開閉機構において、前記戸棚の地板に設けられた第２部材と、前記扉の裏側に設けられ、第２部材と係合するように付勢された第１部材と、前記扉の裏側にて該扉の下辺に沿って延びる形状に設けられ、前記付勢された第１部材を該付勢力に抗して移動させて第２部材との係合を解除させる係合解除位置と前記付勢された第１部材を該付勢力により第２部材と係合させる係合許容位置のいずれかに配置されるレバーとを備えたものである。
【００１０】
かかる請求項２の戸棚扉の開閉機構では、扉を閉じた状態ではレバーは係合許容位置に配置される。このときレバーは、別途設けた弾性部材（バネやクッション等、以下同じ）により付勢されて係合許容位置に配置されてもよいし、レバー自身の材質（可撓性材料や弾性材料等、以下同じ）により付勢されて係合許容位置に配置されてもよいし、他の位置決め機構（例えばラッチ機構など）により係合許容位置に配置されてもよい。レバーが係合許容位置に配置されると、扉の裏側に設けられた第１部材は付勢されて戸棚の地板に設けられた第１部材と係合する。このとき第１部材は、例えば、別途設けた弾性部材により又は第１部材自身の材質により、第２部材と係合するように付勢されていてもよい。このように扉を閉じた状態では、第１部材が第２部材と係合するように付勢されているため、何かの拍子に扉の開方向に力が加わったとしても扉が開くおそれはないという効果を奏する。
【００１１】
一方、扉を開けるときには、レバーを係合解除位置に配置する。すると、第２部材に係合するように付勢された第１部材は該付勢力に抗して移動されて第２部材との係合が解除されるため、この状態で扉を引けば容易に開く。このとき、レバーは扉の裏側にて該扉の下辺に沿って延びる形状に設けられているため、指をかける面積が大きくなり、操作し易いという効果を奏する。また、扉の表側からレバーが露出しないため、見栄えがよくなるという効果を奏する。
【００１２】
請求項３の発明は、請求項１又は２の戸棚扉の開閉機構であって、前記レバーは第１部材と一体成形されているものである。かかる戸棚の開閉機構では、レバーと第１部材とを別個に成形する場合と比較して、部品点数が減少しコストが低減され、また、組立作業も容易となるという作用効果を奏する。
【００１３】
請求項４の発明は、請求項２の戸棚扉の開閉機構であって、前記レバーは可撓性部材により第１部材と一体成形され、第１部材は可撓性部材の復元力により付勢されているものである。かかる戸棚の開閉機構では、レバーと第１部材を別個に形成し且つ第１部材を別途設けた弾性部材により付勢する場合と比較して、部品点数が減少しコストが低減され、また、組立作業も容易となるという作用効果を奏する。このとき、請求項５に記載したように、第１部材は前記扉に対して可撓性部材を略垂直に延出した後屈曲した形状とすることにより該屈曲点にて可撓性部材の復元力により付勢されるように構成するのが好ましい。
【００１４】
請求項６の発明は、請求項３〜５のいずれかの戸棚扉の開閉機構であって、前記レバーは、扉に対するテール（第１部材と一体化された端部とは反対側の端部）の跳ね上がり角度が規制されているものである。かかる戸棚扉の開閉機構では、レバーのテールが跳ね上がることによる不都合（例えば扉を開けた状態で戸棚に物を収納する際に跳ね上がったレバーのテールに服が引っかかる等）が生じるおそれがないという効果を奏する。
【００１５】
【実施例】
以下に、本発明の好適な実施例について図面に基づいて説明する。尚、本発明の実施の形態は、下記実施例に何ら限定されることなく、本発明の技術的範囲に属する限り、種々の形態を採り得ることはいうまでもない。
【００１６】
下記各実施例の戸棚扉の開閉機構は、台所に用いられるつり戸棚のように、ヒンジや蝶番等を介して扉２が取り付けられた戸棚（図１１参照）に取り付けられている。この戸棚の扉２は表面に取っ手がなく、扉２の下部は戸棚の地板５よりも下方に出っ張って形成されている。
［第１実施例］
図１は第１実施例の斜視図、図２は横断面図である。第１実施例の戸棚扉の開閉機構４０は、扉側取付体４１及び地板側取付体４５から構成され、請求項１、３の発明の実施の一形態である。
【００１７】
扉側取付体４１は、可撓性の合成樹脂材により一体成形されたものであり、地板５よりも下方に出っ張って形成された扉２の下部の裏側に設けられている。この扉側取付体４１は、扉２の裏側にネジ固定される固定部４２、この固定部４２に一体成形され所定空間を囲うケース部４９を備えている。ケース部４９は、固定部４２から扉２の裏面と略垂直に延び出した垂片部４３、４３、一方の垂片部４３に設けられたテーパ付開口４３ａ（請求項１、３の第１部材に相当）、後端テーパ部４３ｂ、及びこの後端テーパ部４３ｂにて連結されたレバー４４を備え、後述のフック部材４７を挿入可能な開口４９ａを有している。レバー４４は連結部分である後端テーパ部４３ｂにて可撓性をもって成形されている。また、レバー４４は、扉方向に略直角に屈曲されたあと更に扉と平行方向に屈曲された形状の押圧部４４ａを備え、この押圧部４４ａはテーパ付開口４３ａのテーパに配置されている。かかる扉側取付体４１は一体成形品であるため、レバー、横ピン、支持枠及びバネを各別体として必要とする従来例（図１２参照）と比較して、部品点数が減少しコストが低減され、また、組立作業も容易となるという効果を奏する。
【００１８】
地板側取付体４５は、地板５の下面にネジ固定される固定部４６と、この固定部４６と一体に成形され屈曲点４６ａにて屈曲されたあと前方に延び出した形状のフック部材４７とを備えている。このフック部材４７の前端にはテーパ面を有する矢じり４７ａが形成されている。
【００１９】
以上の構成からなる第１実施例の戸棚扉の開閉機構４０の作用について説明する。開いた状態にある扉２を閉じる方向に移動させると、まず、矢じり４７ａが扉側取付体４１の一方の垂片部４３の後端テーパ部４３ｂに当接する。そして、更に扉２が閉じる方向に移動すると、矢じり４７ａはそのテーパ面が後端テーパ部４３ｂに押されて屈曲点４６ａを中心として撓み、その後矢じり４７ａは後端テーパ部４３ｂを通過してテーパ付開口４３ａに達すると、屈曲点４６ａを中心として自身の可撓性により元の状態に復帰し、テーパ付開口４３ａと係合する。このときレバー４４は図１及び図２にて実線で示す係合許容位置にある。この状態で扉２が開く方向に力が加わったとしても、矢じり４７ａはテーパ付開口４３ａと係合するように自身の可撓性により付勢されているため、扉２が開くことはないという効果を奏する。
【００２０】
一方、閉じた状態にある扉２を開くには、まず、レバー４４のテール部４４ｂの裏側に指を掛けるのであるが、このレバー４４は扉の下辺に沿って延びる形状であり図１１及び図１２に示した従来例のレバー２０４よりも面積が大きくとれるため、容易に指を掛けることができるという効果を奏する。また、レバー４４のテール部４４ｂは他の部材（例えば、地板側取付体４５）とは離れて配置されていることから、他の部材に誤って指を掛けるおそれがないという効果を奏する。更に、戸棚の扉２の表側からみてレバー４４は露出していないため、見栄えがよいという効果を奏する。レバー４４のテール部４４ｂの裏側に指を掛けた後、このレバー４４を手前側（即ち、扉側）に向かって引く。すると、レバー４４は連結部分である後端テーパ部４３ｂを中心としてこの扉側取付体４１自身の可撓性による付勢力に抗して回動され、押圧部４４ａがテーパ付開口４３ａを通じて矢じり４７ａを押圧する。押圧された矢じり４７ａは屈曲点４６ａを中心としてテーパ付開口４３ａとの係合位置から外れ、両者の係合が解除される（レバー４４は図１及び図２の一点鎖線で示す係合解除位置にある）。このとき、レバー４４は手前側に引かれているため、そのまま扉２が開く。
［第２実施例］
図３は第２実施例の斜視図、図４は縦断面図である。第２実施例の戸棚扉の開閉機構９０は、扉側取付体９１及び地板側取付体９５から構成され、請求項２〜５の発明の実施の一形態である。
【００２１】
扉側取付体９１は、可撓性の合成樹脂材により一体成形されたものであり、地板５よりも下方に出っ張って形成された扉２の下部の裏側に設けられている。この扉側取付体９１は、扉２の裏側にネジ固定される固定部９２、この固定部９２に一体形成され所定空間を囲うケース部９９を備えている。ケース部９９は、固定部９２から扉２の裏面と略垂直に延び出した垂片部９３、９３、一方の垂片部９３に設けられた開口９３ａ、この一方の垂片部９３に薄肉の連結部分９３ｂを介して連結されたレバー９４を備え、後述のフック部材９７を挿入可能な開口９９ａを有している。レバー９４は連結部分９３ｂにて可撓性をもって成形されている。また、レバー９４のヘッド側は扉方向に略直角に屈曲されてその端部にテーパ面を有する鈎部９４ａ（請求項２〜５の第１部材に相当）が設けられている。かかる扉側取付体９１は一体成形品であるため、レバー、横ピン、支持枠及びバネを各別体として必要とする従来例（図１２参照）と比較して、部品点数が減少しコストが低減され、また、組立作業も容易となるという効果を奏する。
【００２２】
地板側取付体９５は、地板５の下面にネジ固定される固定部９６と、この固定部９６と一体に成形され前方に延び出したフック部材９７とを備えている。このフック部材９７の前端にはテーパ面を有する矢じり９７ａが形成されている。
以上の構成からなる第２実施例の戸棚扉の開閉機構９０の作用について説明する。開いた状態にある扉２を閉じる方向に移動させると、まず、矢じり９７ａが扉側取付体９１の鈎部９４ａのテーパ面に当接する。そして、更に扉２が閉じる方向に移動すると、鈎部９４ａはそのテーパ面が矢じり９７ａに押されて連結部分９３ｂを中心として撓み、その後矢じり９７ａが鈎部９４ａを通過すると、鈎部９４ａは連結部分９３ｂを中心として自身の可撓性により元の状態に復帰し、矢じり９７ａと係合する。このときレバー９４は図３及び図４にて実線で示す係合許容位置にある。この状態で扉２が開く方向に力が加わったとしても、鈎部９４ａは矢じり９７ａと係合するように自身の可撓性により付勢されているため、扉２が開くことはないという効果を奏する。
【００２３】
一方、閉じた状態にある扉２を開くには、まず、レバー９４のテール部９４ｂの裏側に指を掛けるのであるが、このレバー９４は扉の下辺に沿って延びる形状であり図１１及び図１２に示した従来例のレバー２０４よりも面積が大きくとれるため、容易に指を掛けることができるという効果を奏する。また、レバー９４のテール部９４ｂは他の部材（例えば、地板側取付体９５やケース部９９）とは離れて配置されていることから、他の部材に誤って指を掛けるおそれがないという効果を奏する。更に、戸棚の扉２の表側からみてレバー９４は露出していないため、見栄えがよいという効果を奏する。レバー９４のテール部９４ｂの裏側に指を掛けた後、このレバー９４を手前側（即ち、扉側）に向かって引く。すると、レバー９４は連結部分９３ｂを中心としてこの扉側取付体９１自身の可撓性による付勢力に抗して回動され、鈎部９４ａが矢じり９７ａから外れ、両者の係合が解除される（レバー９４は図３及び図４の一点鎖線で示す係合解除位置にある）。このとき、レバー９４は手前側に引かれているため、そのまま扉２が開く。
［第３実施例］
図５は第３実施例の斜視図、図６は横断面図である。第３実施例の戸棚扉の開閉機構１００は、扉側取付体１０１及び地板側取付体１０５から構成され、請求項２〜５の発明の実施の一形態である。
【００２４】
扉側取付体１０１は、可撓性の合成樹脂材により一体成形されたものであり、地板５よりも下方に出っ張って形成された扉２の下部の裏側に設けられている。この扉側取付体１０１は、扉２の裏側にネジ固定される固定部１０２、この固定部１０２から第１屈曲点Ｐ１にて屈曲されて扉２の裏面と略垂直に延び出した垂片部１０３、この垂片部１０３から第２屈曲点Ｐ２にて屈曲されると共にテーパ面を備えた鈎部１０９ａ（請求項２〜５の第１部材に相当）が形成された屈曲部１０９、この屈曲部１０９から第３屈曲点Ｐ３にて屈曲されて扉２の下辺に沿って延びる形状のレバー１０４を備えている。かかる扉側取付体１０１は一体成形品であるため、レバー、横ピン、支持枠及びバネを各別体として必要とする従来例（図１２参照）と比較して、部品点数が減少しコストが低減され、また、組立作業も容易となるという効果を奏する。尚、第１屈曲点Ｐ１及び第３屈曲点Ｐ３は剛直に成形され、第２屈曲点Ｐ２は可撓性をもって成形されている。
【００２５】
地板側取付体１０５は、地板５の下面に設けられ、地板側支持枠１０６及びフック部１０７（請求項２の第２部材に相当）が一体に成形されている。地板側支持枠１０６は、地板５の下面にネジ固定される固定部１０６ａ、地板５に略垂直な後壁部１０６ｂ、この後壁部１０６ｂから前方に延び出した横壁部１０６ｃ、１０６ｃからなる。一方の横壁部１０６ｃの前端にはテーパ状のフック部１０７が形成されている。
【００２６】
以上の構成からなる第３実施例の戸棚扉の開閉機構１００の作用について説明する。開いた状態にある扉２を閉じる方向に移動させると、まず、フック部１０７が扉側取付体１０１の鈎部１０９ａのテーパ面に当接する。そして、更に扉が閉じる方向に移動すると、鈎部１０９ａはそのテーパ面がフック部１０７に押されて第２屈曲点Ｐ２を中心として撓み、その後フック部１０７が鈎部１０９ａを通過すると、鈎部１０９ａは第２屈曲点Ｐ２を中心として自身の可撓性により元の状態に復帰し、フック部１０７と係合する。このときレバー１０４は図５及び図６にて実線で示す係合許容位置にある。この状態で扉２が開く方向に力が加わったとしても、鈎部１０９ａはフック部１０７と係合するように自身の可撓性により付勢されているため、扉２が開くことはないという効果を奏する。
【００２７】
一方、閉じた状態にある扉２を開くには、まず、レバー１０４のテール部１０４ｂの裏側に指を掛けるのであるが、このレバー１０４は扉の下辺に沿って延びる形状であり図１１及び図１２に示した従来例のレバー２０４よりも面積が大きくとれるため、容易に指を掛けることができるという効果を奏する。また、レバー１０４のテール部１０４ｂは他の部材（例えば、地板側取付体１０５）とは離れて配置されていることから、他の部材に誤って指を掛けるおそれがないという効果を奏する。更に、戸棚の扉２の表側からみてレバー１０４は露出していないため、見栄えがよいという効果を奏する。レバー１０４のテール部１０４ｂの裏側に指を掛けた後、このレバー１０４を手前側（即ち、扉側）に向かって引く。すると、レバー１０４は第２屈曲点Ｐ２を中心としてこの扉側取付体１０１自身の可撓性による付勢力に抗して回動され、鈎部１０９ａがフック部１０７から外れ、両者の係合が解除される（レバー１０４は図５及び図６の一点鎖線で示す係合解除位置にある）。このとき、レバー１０４は手前側に引かれているため、そのまま扉２が開く。
［第４実施例］
図７は第４実施例の横断面図である。第４実施例の戸棚扉の開閉機構１１０は、レバー１０４のテール部１０４ｂの跳ね上がり角度を規制する跳ね上がり規制機構が設けられている点を除いては、第３実施例と同様であるため、同様の構成要素については同じ符号を付し、ここでは跳ね上がり規制機構についてのみ説明する。跳ね上がり規制機構は、垂片部１０３の扉側近傍に設けた開口１０３ｅと、第３屈曲点Ｐ３からテール部１０４ｂとは反対方向に延び出した延長部１０４ａと、この延長部１０４ａの先端にて開口１０３ｅと常に係合するように設けられた矢じり１０４ｅにより構成される。この跳ね上がり規制機構によれば、扉２を開いた状態であっても、レバー７４のテール部７４ｂは所定角度以上に跳ね上がることがないため、例えば戸棚に物を収納する際に誤って服をテール部７４ｂに引っかけてしまう等のおそれがないという効果を奏する。
［第５実施例］
図８は第５実施例の横断面図である。第５実施例の戸棚扉の開閉機構１２０は、扉側取付体１２１及び地板側取付体１２５から構成され、請求項２〜６の発明の実施の一形態である。
【００２８】
扉側取付体１２１は、可撓性の合成樹脂材により一体成形されたものであり、地板５よりも下方に出っ張って形成された扉２の下部の裏側に設けられている。この扉側取付体１２１は、扉２の裏側にネジ固定される固定部１２２、この固定部１２２から第１屈曲点Ｐ１にて屈曲されて扉２の裏面と略垂直に延び出した二重板構造の垂片部１２３、この垂片部１２３から第２屈曲点Ｐ２にて屈曲されると共にテーパ面を備えた鈎部１２９ａ（請求項２〜６の第１部材に相当）が形成された屈曲部１２９、この屈曲部１２９から第３屈曲点Ｐ３にて屈曲されて扉２の下辺に沿って延びる形状のレバー１２４、このレバー１２４から第４屈曲点Ｐ４にて屈曲されて固定部１２２に設けたスライド溝１２２ａにスライド可能に取り付けられた延長部材１２４ｅを備えている。かかる扉側取付体１２１は一体成形品であるため、レバー、横ピン、支持枠及びバネを各別体として必要とする従来例（図１２参照）と比較して、部品点数が減少しコストが低減され、また、組立作業も容易となるという効果を奏する。尚、第１、第３屈曲点Ｐ１、Ｐ３は剛直に成形され、第２、第４屈曲点Ｐ２、Ｐ４は可撓性をもって成形されている。また、垂片部１２３は二重板構造を採用したため、捻り等に対して十分な強度を有している。
【００２９】
地板側取付体１２５は、可撓性の合成樹脂材により一体成形されたものであり、地板５の下面に設けられている。この地板側取付体１２５は、地板５の下面にネジ固定される固定部１２６及びこの固定部１２６に垂設された周壁部１２７を備えている。周壁部１２７は扉側取付体１２１の垂片部１２３及び屈曲部１２９を挿入しうるように設けられ、この周壁部１２７の両端部にはそれぞれ矢じり１２７ａ、１２７ａ（請求項２の第２部材）が左右対称に設けられている。このように左右対称に矢じり１２７ａ、１２７ａを形成したのは、観音開きの扉の場合に他方の矢じり１２７ａを用いれば対処できるため、共通の部品を使用することができ、コスト的にみて有利だからである。
【００３０】
以上の構成からなる第５実施例の戸棚扉の開閉機構１２０の作用について説明する。開いた状態にある扉２を閉じる方向に移動させると、まず、一方の矢じり１２７ａが扉側取付体１２１の鈎部１２９ａのテーパ面に当接する。そして、更に扉が閉じる方向に移動すると、鈎部１２９ａはそのテーパ面が矢じり１２７ａに押されて第２屈曲点Ｐ２を中心として撓み、延長部材１２４ｅはスライド溝１２２ａ内を図７中左方向に移動する。その後矢じり１２７ａが鈎部１２９ａを通過すると、鈎部１２９ａは第２屈曲点Ｐ２を中心として自身の可撓性により元の状態に復帰し、矢じり１２７ａと係合する。このときレバー１２４は図８にて実線で示す係合許容位置にある。この状態で扉２が開く方向に力が加わったとしても、鈎部１２９ａは矢じり１２７ａと係合するように自身の可撓性により付勢されているため、扉２が開くことはないという効果を奏する。
【００３１】
一方、閉じた状態にある扉２を開くには、まず、レバー１２４のテール部１２４ｂの裏側に指を掛けるのであるが、このレバー１２４は扉の下辺に沿って延びる形状であり図１１及び図１２に示した従来例のレバー２０４よりも面積が大きくとれるため、容易に指を掛けることができるという効果を奏する。また、レバー１２４のテール部１２４ｂは他の部材（例えば、地板側取付体１２５）とは離れて配置されていることから、他の部材に誤って指を掛けるおそれがないという効果を奏する。更に、戸棚の扉２の表側からみてレバー１２４は露出していないため、見栄えがよいという効果を奏する。レバー１２４のテール部１２４ｂの裏側に指を掛けた後、このレバー１２４を手前側（即ち、扉側）に向かって引く。すると、レバー１２４は第２屈曲点Ｐ２を中心としてこの扉側取付体１２１自身の可撓性による付勢力に抗して回動され、鈎部１２９ａが矢じり１２７ａから外れ、両者の係合が解除される（レバー１２４は図８の一点鎖線で示す係合解除位置にある）。このとき、レバー１２４は手前側に引かれているため、そのまま扉２が開く。ここで、レバー１２４は、延長部材１２４ｅがスライド溝１２２ａの図７中右端に位置した状態で維持されるため、レバー１２４のテール部１２４ｂはそれ以上跳ね上がることはない。このため、例えば戸棚に物を収納する際に誤って服をテール部１２４ｂに引っかけてしまう等のおそれがないという効果を奏する。
【００３２】
尚、変形例を図９に示す。この変形例は延長部材１２４ｅの形状が屈曲していること、地板側取付体１２５に設けた矢じり１２７ａが一つであることを除いては上記第５実施例と同様である。
［第６実施例］
図１０は第６実施例の横断面図である。第６実施例の戸棚扉の開閉機構１３０は、扉側取付体１３１及び地板側取付体１３５から構成され、請求項２〜６の発明の実施の一形態である。
【００３３】
扉側取付体１３１は、可撓性の合成樹脂材により一体成形されたものであり、地板５よりも下方に出っ張って形成された扉２の下部の裏側に設けられている。この扉側取付体１３１は、扉２の裏側にネジ固定される固定部１３２、この固定部１３２から第１屈曲点Ｐ１にて屈曲されて扉２の裏面と略垂直に延び出した二重板構造の垂片部１３３、この垂片部１３３から第２屈曲点Ｐ２にて屈曲されると共にテーパ面を備えた鈎部１３９ａ（請求項２〜６の第１部材に相当）が形成された屈曲部１３９、この屈曲部１３９から第３屈曲点Ｐ３にて屈曲されて扉２の下辺に沿って延びる形状のレバー１３４、このレバー１３４から第４屈曲点Ｐ４にて屈曲されて固定部１３２の第５屈曲点Ｐ５に連結された延長部材１３４ｅを備えている。かかる扉側取付体１３１は一体成形品であるため、レバー、横ピン、支持枠及びバネを各別体として必要とする従来例（図１２参照）と比較して、部品点数が減少しコストが低減され、また、組立作業も容易となるという効果を奏する。尚、第１屈曲点Ｐ１は剛直に成形され、第２〜第５屈曲点Ｐ２〜Ｐ５は可撓性をもって成形されている。また、垂片部１２３は二重板構造を採用したため、捻り等に対して十分な強度を有している。
【００３４】
地板側取付体１３５は、可撓性の合成樹脂材により一体成形されたものであり、地板５の下面に設けられている。この地板側取付体１３５は、地板５の下面にネジ固定される固定部１３６及びこの固定部１３６に垂設された周壁部１３７を備えている。周壁部１３７は扉側取付体１３１の垂片部１３３及び屈曲部１３９を挿入しうるように設けられ、この周壁部１３７の両端部にはそれぞれ矢じり１３７ａ、１３７ａ（請求項２の第２部材）が左右対称に設けられている。このように左右対称に矢じり１３７ａ、１３７ａを形成したのは、観音開きの扉の場合に他方の矢じり１３７ａを用いれば対処できるため、共通の部品を使用することができ、コスト的にみて有利だからである。
【００３５】
以上の構成からなる第６実施例の戸棚扉の開閉機構１３０の作用について説明する。開いた状態にある扉２を閉じる方向に移動させると、まず、一方の矢じり１３７ａが扉側取付体１３１の鈎部１３９ａのテーパ面に当接する。そして、更に扉が閉じる方向に移動すると、鈎部１３９ａはそのテーパ面が矢じり１３７ａに押されて第２屈曲点Ｐ２を中心として撓み、また第４、第５屈曲点Ｐ４、Ｐ５においても撓む。その後矢じり１３７ａが鈎部１３９ａを通過すると、鈎部１３９ａは第２屈曲点Ｐ２を中心として自身の可撓性により元の状態に復帰し、矢じり１３７ａと係合する。このときレバー１３４は図１０にて実線で示す係合許容位置にある。この状態で扉２が開く方向に力が加わったとしても、鈎部１３９ａは矢じり１３７ａと係合するように自身の可撓性により付勢されているため、扉２が開くことはないという効果を奏する。
【００３６】
一方、閉じた状態にある扉２を開くには、まず、レバー１３４のテール部１３４ｂの裏側に指を掛けるのであるが、このレバー１３４は扉の下辺に沿って延びる形状であり図１１及び図１２に示した従来例のレバー２０４よりも面積が大きくとれるため、容易に指を掛けることができるという効果を奏する。また、レバー１３４のテール部１３４ｂは他の部材（例えば、地板側取付体１３５）とは離れて配置されていることから、他の部材に誤って指を掛けるおそれがないという効果を奏する。更に、戸棚の扉２の表側からみてレバー１３４は露出していないため、見栄えがよいという効果を奏する。レバー１３４のテール部１３４ｂの裏側に指を掛けた後、このレバー１３４を手前側（即ち、扉側）に向かって引く。すると、レバー１３４は第２屈曲点Ｐ２を中心としてこの扉側取付体１３１自身の可撓性による付勢力に抗して回動され、鈎部１３９ａが矢じり１３７ａから外れ、両者の係合が解除される（レバー１３４は図１０の一点鎖線で示す係合解除位置にある）。このとき、レバー１３４は手前側に引かれているため、そのまま扉２が開く。ここで、レバー１３４は、延長部材１３４ｅが第５屈曲点Ｐ５にて固定部１３２と連結されているため、レバー１３４のテール部１３４ｂはそれ以上跳ね上がることはない。このため、例えば戸棚に物を収納する際に誤って服をテール部１３４ｂに引っかけてしまう等のおそれがないという効果を奏する。
【図面の簡単な説明】
【図１】第１実施例の斜視図である。
【図２】第１実施例の横断面図である。
【図３】第２実施例の斜視図である。
【図４】第２実施例の縦断面図である。
【図５】第３実施例の斜視図である。
【図６】第３実施例の縦断面図である。
【図７】第４実施例の横断面図である。
【図８】第５実施例の横断面図である。
【図９】第５実施例の変形例の横断面図である。
【図１０】第６実施例の横断面図である。
【図１１】従来の扉の開閉機構を戸棚の内側から扉を見たときの斜視図である。
【図１２】従来の扉の開閉機構の説明図である。
【符号の説明】
２・・・扉、            ５・・・地板、          ４０・・・開閉機構、
４１・・・扉側取付体、  ４２・・・固定部、
４３・・・垂片部、      ４３ａ・・・テーパ付開口、
４４・・・レバー、
４４ａ・・・押圧部、    ４４ｂ・・・テール部、  ４５・・・地板側取付体、
４６・・・固定部、      ４６ａ・・・屈曲点、
４７・・・フック部材、  ４７ａ・・・矢じり、
【図１】
0003540057.tif 000002
【図２】
0003540057.tif 000003
【図３】
0003540057.tif 000004
【図４】
0003540057.tif 000005
【図５】
0003540057.tif 000006
【図６】
0003540057.tif 000007
【図７】
0003540057.tif 000008
【図８】
0003540057.tif 000009
【図９】
0003540057.tif 000010
【図１０】
0003540057.tif 000011
【図１１】
0003540057.tif 000012
【図１２】
0003540057.tif 000013